(57)【要約】      （修正有）【課題】ずれ落ちや型崩れを防ぎ、スムーズな動きが可能なずれ落ちを防止するニット製品を提供する。【解決手段】ニット製品１内部表面上に中空状の布製ボーン２が設置されて、多数の細いプラスチック製ボーン３をフレキシブルチューブ４中に集中させて、さらに、共にニット製品の布製ボーン内に挿入して所定の位置に収納されることで、プラスチック製ボーン自身が有するフレキシブル作用により、ニット製品が持つ元の形態を支えて、スムーズで自由な活動を妨げるのを回避する。【選択図】図２
0003196285.tif 000002
【実用新案登録請求の範囲】
【請求項１】
ニット製品内部表面上に中空状の布製ボーンが設置されて、プラスチック製ボーンを収納するずれ落ちを防止するニット製品であって、
多数の細いプラスチック製ボーンをフレキシブルチューブ中に集中させて、さらに、共にニット製品の布製ボーン内に挿入して所定の位置に収納されることで、プラスチック製ボーン自身が有するフレキシブル作用により、ニット製品が持つ元の形態を支えて、スムーズで自由な活動を妨げるのを回避する目的を達成することを特徴とするずれ落ちを防止するニット製品。
【請求項２】
ニット製品内部表面上に設置された布製ボーンは、直接多数の細いプラスチック製ボーンが設置されることが可能であることを特徴とする請求項１に記載のずれ落ちを防止するニット製品。
【請求項３】
ニット製品の両側には、マジックテープのループ面が固定されて、布製ボーンの背面にマジックテープのフック面が設置されて、布製ボーン内には、多数の細いプラスチック製ボーンが挿入されることにより、布製ボーン背後のマジックテープのフック面が、ニット製品両側のマジックテープのループ面に貼り付けられて一体となることで、必要に応じて着脱ができて、自由な組合せが可能であることを特徴とするずれ落ちを防止するニット製品。
【考案の詳細な説明】
【技術分野】
【０００１】
本考案は、ずれ落ちを防止するニット製品に関し、特に、ニット製品内部表面に、多数の細いプラスチック製ボーンを挿入して結合させることで、プラスチック製ボーン自身のフレキシブル特性の支え効果により、ニット製品に固定した形態を維持させ、且つ、自在な折り曲げ動作を妨げないずれ落ちを防止するニット製品に関する。
【背景技術】
【０００２】
現在、一般に市販されている身体の四肢に着用するサポーターは、ある程度の使用期間を経ると形が崩れるのが常である。しかしながら、これでは、元の使用目的が達成されない。
【０００３】
そこで、上記の問題を解決すべく、サポーターＡの側辺に一本か二本のコイルボーンＢが設置された形式が開発されている（図１に示したとおり）。この形式は、前記サポーターＡに元の形態を維持させて形が崩れるのを防ぐものの、前記サポーターＡは、使用の過程で汗をかいたり、洗濯したりするため、内側のスチールフレームＢが錆びて、サポーターＡを汚して、皮膚を傷めることも考えられる。特に、錆びて剥げ落ちたかけらでけがをすることも考えられる。そして、何よりサポーターＡの外観に大きな影響を与える。
【０００４】
それだけでなく、サポーターＡ側辺に埋設された一本か二本のスチールフレームＢは、その中にコイルボーンＢ１が密集して配列されている上、それ自身が扁平状であることから、使用の際に「ひっかかる」感じがしてスムーズな動きを妨げる。
【考案の概要】
【考案が解決しようとする課題】
【０００５】
したがって、本考案は、従来の技術が有する欠点を克服して、ずれ落ちや型崩れを防ぎ、スムーズな動きが可能なずれ落ちを防止するニット製品を提供することを課題とする。
【課題を解決するための手段】
【０００６】
すなわち、本考案のずれ落ちを防止するニット製品は、ニット製品内部表面上に中空状の布製ボーンが設置されて、多数の細いプラスチック製ボーンをフレキシブルチューブ中に集中させて、さらに、共にニット製品の布製ボーン内に挿入して所定の位置に収納される。このように、プラスチック製ボーン及びフレキシブルチューブ自身が有するフレキシブル作用により、ニット製品が持つ元の形態を支える。
【０００７】
また、本考案のずれ落ちを防止するニット製品は、ニット製品側面に設置された中空状の布製ボーンに、フレキシブルチューブ及びフレキシブルチューブ内に多数挿入された細いプラスチック製ボーンが設置されることで、プラスチック製ボーン及びフレキシブルチューブ自身が有するフレキシブル性により、自在に曲げられた後に再び元の状態に戻るため、活動部位の動作を妨げることがない。
【０００８】
さらに、本考案のずれ落ちを防止するニット製品は、必要に応じて多数の細いプラスチック製ボーンを直接ニット製品の布製ボーン内に設置することで、異なるフレキシブル効果を達成する。
【０００９】
さらに、本考案のずれ落ちを防止するニット製品は、布製ボーンの背面にマジックテープのフック面を設置して、ニット製品の布製ボーンを貼り付ける位置に、マジックテープのフック面を利用してニット製品両側のマジックテープのループ面に貼り付けて一体とすることで、必要に応じて着脱ができて、自由な組合せが可能である。
【００１０】
さらに、本考案のずれ落ちを防止するニット製品は、必要に応じてプラスチック製ボーンの数量の増減が可能であることにより異なるフレキシブル効果を達成する。
【００１１】
さらに、本考案のずれ落ちを防止するニット製品は、必要に応じてプラスチック製ボーンは、異なる径のサイズまたは扁平状のプラスチック製ボーンも採用することが可能である。
【図面の簡単な説明】
【００１２】
【図１】従来の技術を示した図である。
【図２】本考案を示した図（一）である。
【図３】本考案を示した図（二）である。
【図４】本考案を示した図（三）である。
【図５】本考案を示した図（四）である。
【図６】本考案を示した図（五）である。
【図７】本考案の実施例を示した図である。
【図８】本考案の他の形態を示した図（一）である。
【図９】本考案の他の形態を示した図（二）である。
【図１０】本考案の他の形態を示した図（三）である。
【図１１】本考案の他の形態を示した図（四）である。
【図１２】本考案の他の形態を示した図（五）である。
【図１３】本考案の他の形態を示した図（六）である。
【考案を実施するための形態】
【００１３】
まず、図２、図３、図４を参照しながら説明する。本考案のずれ落ちを防止するニット製品は、膝用サポーターのような製品のニット製品１が製成された後、その両側に中空状の布製ボーン２が設置され、同時に、多数の細いプラスチック製ボーン３を先にフレキシブルチューブ４中に集中させて、さらに、共にニット製品１の布製ボーン２内に挿入して所定の位置に収納する（図４に示したとおり）。このうち、プラスチック製ボーン３の数量は、必要に応じて増減が可能である（図５に示したとおり）。また、プラスチック製ボーン３は、必要に応じて異なる径のサイズまたは扁平状のものでも組合せが可能で、且つ、プラスチック製ボーン３、フレキシブルチューブ４の両者共にそれ自身が柔軟であることで、曲げられた後も自身の弾力性により元の状態に戻ることができる。さらに、ニット製品１を裏返して布製ボーン２をニット製品１の内側表面上に来るようにする（図６に示したとおり）。
【００１４】
このように、ニット製品１内にプラスチック製ボーン３、フレキシブルチューブ４が設置されることで、プラスチック製ボーン３及びフレキシブルチューブ４自身が有するフレキシブル作用により、ニット製品１が持つ元の形態を支えて、形が崩れるのを回避する。
【００１５】
さらに、ニット製品１側面にフレキシブルチューブ４及び多数の細いプラスチック製ボーン３が設置されることで、プラスチック製ボーン３及びフレキシブルチューブ４自身が有するフレキシブル性により、自在に曲げられた後に再び元の状態に戻るため、活動部位の動作を妨げることがない（図７に示したとおり）。
【００１６】
当然、本考案は、必要に応じて多数の細いプラスチック製ボーン３を直接ニット製品１の布製ボーン２内に設置することも可能であり（図８、図９、図１０に示したとおり）、また、設置するプラスチック製ボーン３の数量も調整可能である（図１１、図１２に示したとおり）ことで、異なるフレキシブル効果を達成し、同様に、ニット製品１が有する元の形態を支えて、形が崩れるのを防ぎ、同時に、活動部位の動作を妨げるのを回避する。
【００１７】
また、ニット製品１の両側にマジックテープのループ面１Ａを固定する形式に変更し、布製ボーン２の背面にマジックテープのフック面２Ａを設置して、内側に同様に多数の細いプラスチック製ボーン３を挿入する（図１３に示したとおり）。このようにして、布製ボーン２を、その背後のマジックテープのフック面２Ａを利用してニット製品１両側のマジックテープのループ面１Ａに貼り付けて一体とすることで、上述の使用効果を達成する。この方式は随時布製ボーン２を取り外すことができ、必要な時に再び貼り付けて結合させることができて、自由な組合せが可能である。
【００１８】
本考案は、従来の技術に比べ、美観、安全性に優れる外、特に、活動部位の動作を妨げるのを回避する。したがって、本考案は、実用新案出願の条件を満たすものである。
【符号の説明】
【００１９】
１        ニット製品
１Ａ      マジックテープのループ面  
２        布製ボーン
２Ａ      マジックテープのフック面
３        プラスチック製ボーン
４        フレキシブルチューブ    
Ａ        サポーター
Ｂ      スチールフレーム
Ｂ１      コイルボーン    
【図１】
0003196285.tif 000003
【図２】
0003196285.tif 000004
【図３】
0003196285.tif 000005
【図４】
0003196285.tif 000006
【図５】
0003196285.tif 000007
【図６】
0003196285.tif 000008
【図７】
0003196285.tif 000009
【図８】
0003196285.tif 000010
【図９】
0003196285.tif 000011
【図１０】
0003196285.tif 000012
【図１１】
0003196285.tif 000013
【図１２】
0003196285.tif 000014
【図１３】
0003196285.tif 000015
【手続補正書】
【提出日】平成27年1月6日(2015.1.6)
【手続補正１】
【補正対象書類名】実用新案登録請求の範囲
【補正対象項目名】請求項３
【補正方法】変更
【補正の内容】
【請求項３】
ニット製品の両側には、面ファスナーのループ面が固定されて、布製ボーンの背面に面ファスナーのフック面が設置されて、布製ボーン内には、多数の細いプラスチック製ボーンが挿入されることにより、布製ボーン背後の面ファスナーのフック面が、ニット製品両側の面ファスナーのループ面に貼り付けられて一体となることで、必要に応じて着脱ができて、自由な組合せが可能であることを特徴とするずれ落ちを防止するニット製品。
【手続補正２】
【補正対象書類名】明細書
【補正対象項目名】０００９
【補正方法】変更
【補正の内容】
【０００９】
さらに、本考案のずれ落ちを防止するニット製品は、布製ボーンの背面に面ファスナーのフック面を設置して、ニット製品の布製ボーンを貼り付ける位置に、面ファスナーのフック面を利用してニット製品両側の面ファスナーのループ面に貼り付けて一体とすることで、必要に応じて着脱ができて、自由な組合せが可能である。
【手続補正３】
【補正対象書類名】明細書
【補正対象項目名】００１７
【補正方法】変更
【補正の内容】
【００１７】
また、ニット製品１の両側に面ファスナーのループ面１Ａを固定する形式に変更し、布製ボーン２の背面に面ファスナーのフック面２Ａを設置して、内側に同様に多数の細いプラスチック製ボーン３を挿入する（図１３に示したとおり）。このようにして、布製ボーン２を、その背後の面ファスナーのフック面２Ａを利用してニット製品１両側の面ファスナーのループ面１Ａに貼り付けて一体とすることで、上述の使用効果を達成する。この方式は随時布製ボーン２を取り外すことができ、必要な時に再び貼り付けて結合させることができて、自由な組合せが可能である。
【手続補正４】
【補正対象書類名】明細書
【補正対象項目名】００１９
【補正方法】変更
【補正の内容】
【００１９】
１        ニット製品
１Ａ      面ファスナーのループ面  
２        布製ボーン
２Ａ      面ファスナーのフック面
３        プラスチック製ボーン
４        フレキシブルチューブ    
Ａ        サポーター
Ｂ        スチールフレーム
Ｂ１      コイルボーン